(57)【要約】【課題】内壁面に付着した厨芥を効率よく洗い流すことができる厨芥処理装置を提供する。【解決手段】ディスポーザの厨芥投入口に、外周部に水抜き孔３４を有するスプラッシュガード２８が着脱自在に備えられる。厨芥投入口から投入された厨芥はモータによって回転駆動される回転板に備えられたスイングハンマと、そのスイングハンマの回転軌跡外方に対応して設けられた固定刃とによって粉砕される。スプラッシュガード２８外周部に位置する各水抜き孔３４は、スプラッシュガード２８における径方向の開口幅Ｐよりも周方向の開口幅Ｑの方がより長く形成されている。【選択図】図２
2005211866.tif 000002
【特許請求の範囲】
【請求項１】
外周部に水抜き孔を有するスプラッシュガードが厨芥投入口に備えられ、回転駆動される回転板に備えられたハンマと、そのハンマの回転軌跡外方に対応して設けられた固定刃とによって厨芥を粉砕する厨芥処理装置において、
前記水抜き孔の前記スプラッシュガードにおける径方向の開口幅よりも周方向の開口幅の方がより長く形成されていることを特徴とする厨芥処理装置。
【請求項２】
請求項１に記載の厨芥処理装置において、
前記水抜き孔は、前記周方向の開口幅が前記スプラッシュガードの径方向内方側よりも径方向外方側の方が幅広に形成されたことを特徴とする厨芥処理装置。
【請求項３】
請求項１または請求項２に記載の厨芥処理装置において、
前記スプラッシュガードにおける前記水抜き孔が形成された径方向内方側の内面が、下方向に向けて漸次外方に傾斜する外向き傾斜面とされたことを特徴とする厨芥処理装置。
【請求項４】
請求項１または請求項２に記載の厨芥処理装置において、
平面視で前記水抜き孔の開口領域に対応して、前記スプラッシュガードの径方向内方側より径方向外方側に向けて漸次下降傾斜状態に突出する外向き傾斜舌片部が備えられたことを特徴とする厨芥処理装置。
【請求項５】
請求項１ないし請求項４のいずれかに記載の厨芥処理装置において、
前記スプラッシュガードにおける前記水抜き孔を有する外周部上面が、水平面もしくは径方向内方側より径方向外方側に向けてわずかに漸次下降傾斜する外下がり傾斜面とされたことを特徴とする厨芥処理装置。
【発明の詳細な説明】
【技術分野】
【０００１】
本発明は、厨房の生ゴミ等を粉砕して排出する厨芥処理装置に関するものである。
【背景技術】
【０００２】
従来、この種の厨芥処理装置では、運転中や停止中に、粉砕室へのスプーン等の非粉砕物の落下防止や、運転中における粉砕室からの粉砕物の跳ね上がりを防止することを目的として、厨芥投入口にゴム等の弾性体よりなるいわゆるスプラッシュガードが設けられている。
【０００３】
このようなスプラッシュガードとしては、通常、周方向に沿って分割形成された複数枚の弾性変形自在なリップ片を備えると共に、中央部や外周部等に複数の水抜き孔が形成された構造とされていた（例えば、特許文献１、特許文献２または特許文献３参照。）。
【０００４】
【特許文献１】実開昭５８−６３２７５号公報
【特許文献２】実開昭６０−１４８３７６号公報
【特許文献３】特開２００３−２７５６１１号公報
【発明の開示】
【発明が解決しようとする課題】
【０００５】
しかしながら、上記各特許文献に開示のスプラッシュガードのように、通常、外周部に形成された各水抜き孔が、円形または、スプラッシュガードの周方向の開口幅よりも径方向の開口幅の方がより長く形成された細長形状とされており、シンクに水を流した場合、ほとんどの水は厨芥投入口の中央部から粉砕室へと落下していく傾向にあった。
【０００６】
この際、粉砕室内に備えられたハンマー等の回転部品によって粉砕された厨芥は水と共に排出されるが、粉砕された厨芥の一部は回転部品により跳ね上げられて、粉砕室や吊下げ部の内壁面に付着してしまうおそれがあった。一方、スプラッシュガードの中央部から落下する水も同じように回転部品によって跳ね上げられるが、跳ね上げる力が弱いと壁面に付着した厨芥を効率よく洗い流すことができないという欠点があった。
【０００７】
そこで、本願出願人は特許文献３に開示のように、リップ片の中央部を高くすると共に、外周部を低く構成したスプラッシュガードを提供し、外周部から流れ落ちる水の割合を増加させることによって、内壁面に付着した厨芥を効率よく洗い流すことができる厨芥処理装置を提供した。
【０００８】
しかしながら、一般に、スプラッシュガードは水平もしくは中央部が低いという固定観念が強いため、上下逆向きに誤って使用されて、内壁面に付着した厨芥を効率よく洗い流す機能が有効に発揮できない欠点があった。
【０００９】
そこで、本発明はこのような問題点に鑑み、異なる方法により、内壁面に付着した厨芥を効率よく洗い流すことができる厨芥処理装置を提供することにある。
【課題を解決するための手段】
【００１０】
上記課題を解決するための技術的手段は、外周部に水抜き孔を有するスプラッシュガードが厨芥投入口に備えられ、回転駆動される回転板に備えられたハンマと、そのハンマの回転軌跡外方に対応して設けられた固定刃とによって厨芥を粉砕する厨芥処理装置において、前記水抜き孔の前記スプラッシュガードにおける径方向の開口幅よりも周方向の開口幅の方がより長く形成されている点にある。
【００１１】
また、前記水抜き孔は、前記周方向の開口幅が前記スプラッシュガードの径方向内方側よりも径方向外方側の方が幅広に形成された構造としてもよい。
【００１２】
さらに、前記スプラッシュガードにおける前記水抜き孔が形成された径方向内方側の内面が、下方向に向けて漸次外方に傾斜する外向き傾斜面とされた構造としてもよい。
【００１３】
また、平面視で前記水抜き孔の開口領域に対応して、前記スプラッシュガードの径方向内方側より径方向外方側に向けて漸次下降傾斜状態に突出する外向き傾斜舌片部が備えられた構造としてもよい。
【００１４】
さらに、前記スプラッシュガードにおける前記水抜き孔を有する外周部上面が、水平面もしくは径方向内方側より径方向外方側に向けてわずかに漸次下降傾斜する外下がり傾斜面とされた構造としてもよい。
【発明の効果】
【００１５】
請求項１に記載の厨芥処理装置によれば、水抜き孔のスプラッシュガードにおける径方向の開口幅よりも周方向の開口幅の方がより長く形成されているため、外周部における水抜き孔の開口面積をより大きく確保でき、供給された水のうちスプラッシュガードの外周部から流れ落ちる水の割合を効果的に増加させることができて、内壁面に付着する厨芥を効率よく洗い流すことができ、内壁面に残留する厨芥を減少させることができる。
【００１６】
また、請求項２に記載の厨芥処理装置によれば、請求項１に記載の厨芥処理装置において、水抜き孔は、周方向の開口幅がスプラッシュガードの径方向内方側よりも径方向外方側の方が幅広に形成された構造とされており、より一層、スプラッシュガードの外周部から流れ落ちる水の割合を効果的に増加させることができ、内壁面に付着する厨芥をより効率よく洗い流すことができる。
【００１７】
さらに、請求項３に記載の厨芥処理装置によれば、請求項１または請求項２に記載の厨芥処理装置において、スプラッシュガードにおける水抜き孔が形成された径方向内方側の内面が、下方向に向けて漸次外方に傾斜する外向き傾斜面とされた構造とされており、水抜き孔を通過する水は外向き傾斜面によって外方にガイドされるため、水抜き孔から流れ落ちる水を壁面方向に案内し、内壁面に沿って流れる水の水量増加が図れ、内壁面に付着する厨芥を効率よく洗い流すことができる。
【００１８】
また、請求項４に記載の厨芥処理装置によれば、請求項１または請求項２に記載の厨芥処理装置において、平面視で水抜き孔の開口領域に対応して、スプラッシュガードの径方向内方側より径方向外方側に向けて漸次下降傾斜状態に突出する外向き傾斜舌片部が備えられた構造とされており、水抜き孔を通過する水は外向き傾斜舌片部によって外方に効率よくガイドされるため、水抜き孔から流れ落ちる水を内壁面方向に案内し、内壁面に沿って流れる水の水量増加が図れ、内壁面に付着する厨芥を効率よく洗い流すことができる。
【００１９】
さらに、請求項５に記載の厨芥処理装置によれば、請求項１ないし請求項４のいずれかに記載の厨芥処理装置において、スプラッシュガードにおける水抜き孔を有する外周部上面が、水平面もしくは径方向内方側より径方向外方側に向けてわずかに漸次下降傾斜する外下がり傾斜面とされた構造とされており、スプラッシュガードの外周部の水平面や外下がり傾斜面に供給された水は、流れが滞留するため、水抜き孔から流れ落ちる水の割合を増加させることができ、内壁面に付着する厨芥を効率よく洗い流すことができる。
【発明を実施するための最良の形態】
【００２０】
以下、本発明の第１の実施形態を図面に基づいて説明すると、図１に示される如く、厨芥処理装置としてのディスポーザ１は、流し台におけるシンク２の排水口３に、パッキングを介して水密状に、リングナット５により締付け固定される取付け管６を備え、取付け管６の下端部に吊下げ部としての防振機構７を介してディスポーザ本体８の上端部が吊持される構造とされている。
【００２１】
防振機構７は、ゴム材により断面円形の筒状に形成されたゴム連結管１０を備え、ゴム連結管１０は、上部の厚肉に形成された上リジッド連結部１０ａと、下部の厚肉に形成された下リジッド連結部１０ｂと、これら上リジッド連結部１０ａと下リジッド連結部１０ｂとの間の外方膨出状に湾曲形成された薄肉の振動吸収筒部１０ｃとから構成されている。
【００２２】
また、上リジッド連結部１０ａの内周面には、取付け管６の下端部に径方向外方に張出形成された周方向環状の張出係合部が挿入される凹溝部が形成されており、下リジッド連結部１０ｂの内周面には、ディスポーザ本体８における上ケーシング１１の上端部に径方向外方に張出形成された周方向環状の張出係合部が挿入される凹溝部が形成されている。
【００２３】
そして、ゴム連結管１０の上リジッド連結部１０ａが取付け管６の下端部に外嵌されて、張出係合部が凹溝部に挿入されると共に、外周部を締付けバンド１２により締付け固定され、下リジッド連結部１０ｂが上ケーシング１１の上端部に外嵌されて、張出係合部が凹溝部に挿入されると共に、外周部を締付けバンド１３により締付け固定され、ここに、取付け管６とディスポーザ本体８の上ケーシング１１とがゴム連結管１０を介して互いに連結される構造とされている。
【００２４】
また、取付け管６の下端部と上ケーシング１１の上端部との相互間におけるゴム連結管１０内に位置して、筒状の金属製支持体１４が配置されている。この支持体１４は取付け管６下端部の内径、もしくは上ケーシング１１上端部の内径と略同径の内径を有する円筒状に形成されており、支持体１４の上端外周には径方向外方に張出状とされた周方向環状の上係合ツバ部を備えると共に、支持体１４の下端外周には径方向外方に張出状とされた周方向環状の下係合ツバ部を備えた構造とされている。
【００２５】
そして、上リジッド連結部１０ａの凹溝部に支持体１４の上係合ツバ部が嵌入されると共に、下リジッド連結部１０ｂの凹溝部に支持体１４の下係合ツバ部が嵌入された状態で、ゴム連結管１０内に支持体１４が配置されている。
【００２６】
ここに、上ケーシング１１、即ちディスポーザ本体８は、取付け管６側に、ゴム連結管１０や支持体１４等からなる防振機構７を介して吊下げ状態で支持された構造とされている。
【００２７】
前記ディスポーザ本体８は、平面視円形の回転板１６と、回転板１６を回転駆動する駆動手段としてのモータ１７と、回転板１６の上面に径方向に離隔して揺動自在に取り付けられた一対のハンマの一例としてのスイングハンマ１８と、各スイングハンマ１８の回転軌跡外方に対応して設けられた固定刃１９と、これら回転板１６、スイングハンマ１８、固定刃１９等を収容する下ケーシング２０および該下ケーシング２０上に連結される前記上ケーシング１１とを備えている。
【００２８】
前記下ケーシング２０には、上方に開口する円形凹状の処理凹部２０ａと、その処理凹部２０ａの底部２０ｂから下ケーシング２０の一側面に連通する排出路２０ｃとが設けられており、処理凹部２０ａの底部２０ｂは他側より一側の前記排出路２０ｃ方向に漸次下降傾斜する傾斜状に構成されている。また、排出路２０ｃには排出管２１が連結されている。
【００２９】
そして、処理凹部２０ａ内における中央部には、スイングハンマ１８が取り付けられた回転板１６が備えられ、処理凹部２０ａの内周面に沿って固定刃１９が備えられた構造とされている。
【００３０】
前記上ケーシング１１は、断面略円形の筒形状を有しており、下ケーシング２０の処理凹部２０ａの開口部に連なるようにして、下ケーシング２０とボルト締結等により着脱自在に連結固定される構造とされている。
【００３１】
前記固定刃１９はステンレス鋼等の板材をプレス加工、即ちプレスにより曲げ加工して形成されてなり、円筒状に配置された円筒状刃体部と、該円筒状刃体部の上端部外周に径方向外方に向けて張出形成された周方向環状の取付ツバ部とからなり、円筒状刃体部は、下ケーシング２０の処理凹部２０ａ内にぴったりと嵌まり込む円筒形の形状を有しており、複数のスリット２２が周方向に沿って等間隔に設けられた構造とされている。
【００３２】
この際、各スリット２２は、それぞれ円筒状刃体部の高さ方向全長にわたって形成された構造とされており、本実施形態では、軸心に沿った上下方向に形成された構造とされている。従って、円筒状刃体部は各スリット２２によって分割されたいわゆる櫛歯状に構成されている。
【００３３】
そして、下ケーシング２０の処理凹部２０ａに固定刃１９の円筒状刃体部が嵌合された状態で、下ケーシング２０に対しパッキン２３を介して上ケーシング１１が連結固定され、固定刃１９は下ケーシング２０と上ケーシング１１とにより回り止め状態で挟持状に保持される構造とされている。
【００３４】
前記回転板１６は、固定刃１９における円筒状刃体部の内径よりも僅かに小さい外径を有する円板状の板部材とされ、下ケーシング２０の下面側から処理凹部２０ａ内に挿入されたモータ１７の駆動軸１７ａに固定されている。この際、本実施形態にあっては、回転板１６の下面側に、各スイングハンマ１８の取付位置と対応させて、回転板１６を補強するための補強板１６ａが重合状として一体的に固着されている。また、回転板１６における補強板１６ａを避けた位置には、回転板１６によって上下に仕切られる上部の粉砕室２４と下部の排出室２５とを連通状とする水抜き孔が、適宜形成されている。
【００３５】
また、厨芥投入口２７を構成する取付け管６の下端部に、ゴムや樹脂等の弾性体からなるスプラッシュガード２８が着脱自在に備えられており、その上部には封水キャップ２９が着脱自在に備えられている。
【００３６】
前記スプラッシュガード２８は図２および図３にも示される如く、平面視略円形で、下向きに膨出する椀状に構成され、外周縁部の厚肉に形成された保形部２８ａと、内側領域を中心から放射状にスリット３１により分割して、周方向に沿って複数枚（本実施形態では１０枚）の適宜厚みを有するリップ片２８ｂとを備えた構造とされている。
【００３７】
また、スプラッシュガード２８の中央部には、所定の大きさの水抜き孔３２が形成されると共に、各リップ片２８ｂにおけるスプラッシュガード２８の径方向長さの中間部には、それぞれ小円形の水抜き孔３３が形成されている。
【００３８】
さらに、各スリット３１のスプラッシュガード２８の径方向外端部、即ちスプラッシュガード２８の外周部に位置して、それぞれ所定の大きさの水抜き孔３４が形成されており、各水抜き孔３４は、図２に示されるように、スプラッシュガード２８における径方向の開口幅Ｐよりも周方向の開口幅Ｑの方がより長く形成されたいわゆる長円形状に形成されている。しかも、スプラッシュガード２８における各水抜き孔３４が形成された径方向内方側の内面は、図３に示されるように、下方向に向けて漸次外方に傾斜する外向き傾斜面３４ａとされている。
【００３９】
本実施形態は以上のように構成されており、厨芥が厨芥投入口２７としての取付け管６を介してディスポーザ本体８内の粉砕室２４に水と共に投入され、モータ１７の駆動により回転板１６が回転駆動されると、回転板１６に伴って回転するスイングハンマ１８の衝突によって厨芥が粉砕されると共に、スイングハンマ１８とその回転軌跡の外方に位置した固定刃１９における円筒状刃体部との協働による剪断によって粉砕され、所定の粉砕粒度以下に粉砕された厨芥は、円筒状刃体部の各スリット２２を通じて下方の排出室２５に導かれる。そして、排出室２５内に導かれた厨芥は、その後、底部２０ｂの傾斜に沿って水と共に排出路２０ｃに案内され、排出管２１を通じて図示省略のトラップ、横引き管を介して排出される。
【００４０】
また、供給された水はスプラッシュガード２８の各水抜き孔３２、３３、３４を通じて下方の粉砕室２４に流れ落ちていき、特に、スプラッシュガード２８の外周部における各水抜き孔３４から流れ落ちる水は支持体１４や粉砕室２４の内壁面を伝って流れ落ち、粉砕された厨芥は遠心力によって跳ね上げられ、支持体１４の内壁面や粉砕室２４の内壁面に付着した場合であっても、その内壁面に付着する厨芥を洗い流しながら粉砕することができる。
【００４１】
この際、外周部における各水抜き孔３４が周方向に長い細長形状、いわゆる長円形状に形成されているため、外周部における水抜き孔３４の開口面積をより大きく確保でき、従来のような小円形や径方向に長い長円形状の場合と比較して、厨芥投入口２７から供給された水のうちスプラッシュガード２８の外周部から流れ落ちる水の割合を効果的に増加させることができて、内壁面に付着する厨芥を効率よく洗い流すことができ、内壁面に残留する厨芥を減少させることができる。
【００４２】
特に、スプラッシュガード２８における各水抜き孔３４が形成された径方向内方側の内面が、下方向に向けて漸次外方に傾斜する外向き傾斜面３４ａとされているため、各水抜き孔３４を通過して流れ落ちる水は外向け傾斜面３４ａによって外方にガイドされるため、水抜き孔３４から流れ落ちる水を支持体１４や粉砕室２４の内壁面方向に案内し、この点からも内壁面に沿って流れる水の水量増加が図れ、内壁面に付着する厨芥を効率よく洗い流すことができる。
【００４３】
図４は第２の実施形態を示しており、前記第１の実施形態と同様構成部分は同一符号を付し、その説明を省略する。
【００４４】
即ち、本実施形態においては、スプラッシュガード２８における各水抜き孔３４の形成部分において、平面視で水抜き孔３４の開口領域に対応して、スプラッシュガード２８の径方向内方側より径方向外方側に向けて漸次下降傾斜状態に適宜長さ突出する外向き傾斜舌片部３６がそれぞれ備えられた構造とされている。そして、その他の構造は第１の実施形態と同様に構成されている。
【００４５】
従って、本実施形態においても、第１の実施形態と同様、供給された水のうちスプラッシュガード２８の外周部から流れ落ちる水の割合を効果的に増加させることができて、内壁面に付着する厨芥を効率よく洗い流すことができ、内壁面に残留する厨芥を減少させることができる利点を有する。
【００４６】
特に、各水抜き孔３４の開口領域に対応して外向き傾斜舌片部３６が備えられているため、水抜き孔３４を通過する水は外向き傾斜舌片部３６によって外方により効率よくガイドされるため、水抜き孔３４から流れ落ちる水を内壁面方向に効果的に案内し、内壁面に沿って流れる水の水量増加が図れ、内壁面に付着する厨芥を効率よく洗い流すことができる。
【００４７】
図５は第３の実施形態を示しており、前記第１の実施形態と同様構成部分は同一符号を付し、その説明を省略する。
【００４８】
即ち、本実施形態においては、スプラッシュガード２８における各水抜き孔３４の形状が、その周方向の開口幅Ｑが、スプラッシュガード２８の径方向内方側よりも径方向外方側の方が幅広に形成された構造とされている。特に、この実施形態においては、径方向内方側より径方向外方側に向けて周方向の開口幅Ｑが漸次広くなるいわゆる三角形もしくは扇形に形成されている。そして、その他の構造は第１の実施形態と同様に構成されている。
【００４９】
従って、本実施形態においても、第１の実施形態と同様、供給された水のうちスプラッシュガード２８の外周部から流れ落ちる水の割合を効果的に増加させることができて、内壁面に付着する厨芥を効率よく洗い流すことができ、内壁面に残留する厨芥を減少させることができる利点を有する。
【００５０】
特に、各水抜き孔３４の周方向の開口幅Ｑが、径方向内方側に比べて径方向外方側の方がより広く形成された構造であり、水抜き孔３４の全体としての開口面積が同じであっても、より一層、供給された水のうちスプラッシュガード２８の外周部から流れ落ちる水の割合を効果的に増加させることができ、内壁面に残留する厨芥を減少させることができる利点がある。
【００５１】
なお、本実施形態においても、第１の実施形態における外向き傾斜面３４ａや第２の実施形態における外向き傾斜舌片部３６を採用する構造としてもよい。
【００５２】
図６および図７は第４の実施形態を示しており、前記第１の実施形態と同様構成部分は同一符号を付し、その説明を省略する。
【００５３】
即ち、本実施形態においては、スプラッシュガード２８の外周部に形成される各水抜き孔３４が、各スリット３１間におけるリップ片２８ｂの外周部に形成された構造とされている。そして、前記第２の実施形態と同様、各水抜き孔３４の開口領域に対応してそれぞれ外向き傾斜舌片部３６が備えられた構造とされている。そして、その他の構造は第１の実施形態と同様に構成されている。
【００５４】
従って、本実施形態においても、第１の実施形態と同様、供給された水のうちスプラッシュガード２８の外周部から流れ落ちる水の割合を効果的に増加させることができて、内壁面に付着する厨芥を効率よく洗い流すことができ、内壁面に残留する厨芥を減少させることができると共に、水抜き孔３４を通過する水は外向き傾斜舌片部３６によって外方により効率よくガイドされるため、水抜き孔３４から流れ落ちる水を内壁面方向に効果的に案内し、内壁面に沿って流れる水の水量増加が図れ、内壁面に付着する厨芥を効率よく洗い流すことができる利点を有する。
【００５５】
図８は第５の実施形態を示しており、前記第１の実施形態と同様構成部分は同一符号を付し、その説明を省略する。
【００５６】
即ち、本実施形態においては、スプラッシュガード２８における水抜き孔３４を有する外周部上面が、スプラッシュガード２８の径方向内方側より径方向外方側に向けてわずかに漸次下降傾斜する外下がり傾斜面２８ｃとされた構造とされている。そして、各リップ片２８ｂは中心に向けて漸次下降傾斜する構造とされている。そして、その他の構造は第１の実施形態と同様に構成されている。
【００５７】
従って、本実施形態においても、第１の実施形態と同様、供給された水のうちスプラッシュガード２８の外周部から流れ落ちる水の割合を効果的に増加させることができて、内壁面に付着する厨芥を効率よく洗い流すことができ、内壁面に残留する厨芥を減少させることができると共に、スプラッシュガード２８の外周部における外下がり傾斜面２８ｃに供給された水は、中心部方向の流れが滞留するため、有効に各水抜き孔３４から流すことができ、水抜き孔３４から流れ落ちる水の割合を増加させることができ、内壁面に付着する厨芥を効率よく洗い流すことができる。
【００５８】
また、スプラッシュガード２８は中央部が低く形成されており、外周部もわずかの下降傾斜であるため、従来のような上下逆向きに使用されるおそれもない。
【００５９】
なお、外下がり傾斜面２８ｃの漸次下降傾斜する角度θは、必要に応じて適宜決定すればよい。
【００６０】
また、本実施形態において、スプラッシュガード２８の外周部を径方向外方側に向けて漸次下降傾斜する外下がり傾斜面２８ｃとした構造を示しているが、水抜き孔３４を有する外周部を水平面に形成してもよい。この場合も、供給された水の中心部方向の流れが若干滞留するため、水抜き孔３４から流れ落ちる水の割合を増加させることができ、壁面に付着する厨芥を効率よく洗い流すことができる。
【００６１】
なお、各リップ片２８ｂの数や形状、各水抜き孔３２、３３、３４の大きさや数や形状は、各実施形態に示された数や形状等に何ら限定されず、必要に応じて適宜変更すればよい。
【図面の簡単な説明】
【００６２】
【図１】第１の実施形態を示す厨芥処理装置の断面図である。
【図２】同スプラッシュガードの平面図である。
【図３】図２のIII−III線断面矢視図である。
【図４】第２の実施形態を示すスプラッシュガードの要部断面図である。
【図５】第３の実施形態を示すスプラッシュガードの平面図である。
【図６】第４の実施形態を示すスプラッシュガードの半部平面図である。
【図７】図６のVII−VII線断面矢視図である。
【図８】第５の実施形態を示すスプラッシュガードの要部断面図である。
【符号の説明】
【００６３】
１  ディスポーザ
６  取付け管
７  防振機構
８  ディスポーザ本体
１６  回転板
１７  モータ
１８  スイングハンマ
１９  固定刃
２４  粉砕室
２７  厨芥投入口
２８  スプラッシュガード
２８ｂ  リップ片
２８ｃ  外下がり傾斜面
３２  水抜き孔
３３  水抜き孔
３４  水抜き孔
３４ａ  外向き傾斜面
３６  外向き傾斜舌片部
【図１】
2005211866.tif 000003
【図２】
2005211866.tif 000004
【図３】
2005211866.tif 000005
【図４】
2005211866.tif 000006
【図５】
2005211866.tif 000007
【図６】
2005211866.tif 000008
【図７】
2005211866.tif 000009
【図８】
2005211866.tif 000010